(57)【特許請求の範囲】
【請求項１】
原液を液分とケーキとに分離する固液分離処理を行う遠心分離機であって、
液分を通過させる透孔を有する円筒状の周壁部と該周壁部の軸線方向の一端を閉じる底壁部とを有して、前記周壁部の軸線方向の他端が開口させられ、前記周壁部の中心軸線を水平方向に向けるか、又は水平方向に対して傾斜させた状態で配置されて、前記周壁部の中心軸線を回転中心として回転させられるバスケットと、
前記バスケットの周壁部の内周面を覆うように配置されたフィルタと、
前記バスケットの底壁部の外側に前記バスケットの周壁部と中心軸線を共有した状態で、かつ前記バスケットの周壁部の開口部と反対側に延びるように設けられて、先端部が前記バスケットの底壁部に固定されたバスケット駆動軸と、
前記バスケットの周壁部と中心軸線を共有した状態で前記バスケット内に配置された部分を有するロータ駆動軸と、
大部分が前記バスケット内に配置されて、一端が前記バスケットの底壁部に近接した位置に配置されるとともに、他端寄りの部分が前記バスケットの開口部から外側に突出した状態で配置されて、前記ロータ駆動軸に後端部側が回動自在に支持されたスウィングアームの先端部に、回転中心軸線を前記バスケットの周壁部の中心軸線と平行な方向に向けた状態で回転自在に支持されたケーキ移送用ロータと、
前記ロータ駆動軸が停止しているときに前記ケーキ移送用ロータを、前記フィルタの内周面よりもバスケットの内径側に寄った位置に設定された退避位置に保持するために、前記スウィングアームを前記バスケットの周壁部の内径側に付勢するアーム付勢手段と、
前記バスケットを回転させるために前記バスケット駆動軸を回転駆動するバスケット駆動装置と、
前記ケーキ移送用ロータに前記バスケットの周壁部の中心軸線を中心とした公転運動を行なわせるために前記ロータ駆動軸を前記バスケットの回転方向と同方向に回転駆動するロータ駆動装置と、
前記バスケットの底壁部寄りの位置で前記バスケットの周壁部側に原液を供給する給液装置と、
を具備し、
前記ケーキ移送用ロータは、前記バスケットの周壁部の内径よりも小さい一定の外径を持って前記回転中心軸線の回りを該回転中心軸線に沿って螺旋状に延びる刃部を外周側に有して、前記ロータ駆動軸が前記バスケットの回転方向と同方向に回転駆動された際に生じる遠心力により前記スウィングアームが前記アーム付勢手段の付勢力に抗して前記バスケットの周壁部側に振り出されることにより、前記ケーキ移送用ロータの螺旋状の刃部の各ターンの前記フィルタに対向している部分が前記フィルタの内周面に接触した状態に保持されるように構成され、
前記ケーキ移送用ロータの螺旋状の刃部の各ターンの前記フィルタに対向している部分が前記フィルタの内周面に接触した状態に保持されている状態で、前記バスケットの回転速度と前記ケーキ移送用ロータの公転速度との間に差を持たせて、前記ケーキ移送用ロータに前記回転中心軸線を中心とした自転運動を行なわせることにより、前記ケーキ移送用ロータを前記フィルタ上で前記バスケットの周壁部の周方向に沿って転動させて、前記ケーキ移送用ロータの刃部により前記フィルタの内周に存在するケーキを前記バスケットの開口部側に移動させるように構成されていること、
を特徴とする遠心分離機。
【請求項２】
前記ロータ駆動軸は、前記バスケットの周壁部の軸線方向の他端の開口部を通して前記バスケット内に挿入されている請求項１に記載の遠心分離機。
【請求項３】
前記ロータ駆動軸は、前記バスケット駆動軸の軸心部を軸線方向に貫通した状態で、かつ前記バスケット駆動軸に対して相対的に回転し得る状態で設けられて、前記バスケットの底壁部を貫通した状態で前記バスケット内に挿入されている請求項１に記載の遠心分離機。
【請求項４】
前記ケーキ移送用ロータは複数個設けられていて、該複数のケーキ移送用ロータが前記バスケットの周壁部の周方向に等角度間隔を隔てて配置されている請求項１、２又は３に記載の遠心分離機。
【請求項５】
前記給液装置は、前記バスケット駆動軸の軸心部を軸線方向に貫通した状態で設けられた給液通路を有して、該給液通路を通して前記バスケットの周壁部側に原液を供給するように構成されている請求項１ないし４のいずれか一つに記載の遠心分離機。
【請求項６】
前記給液装置は、前記ロータ駆動軸の軸心部を軸線方向に貫通した状態で設けられた給液通路を通して前記バスケットの周壁部側に原液を供給するように構成されている請求項１ないし４のいずれか一つに記載の遠心分離機。
【請求項７】
前記給液装置は、原液を前記バスケットの底壁部の内面に沿って前記周壁部側に供給するように構成されている請求項１ないし６の何れか一つに記載の遠心分離機。
【請求項８】
前記ケーキ移送用ロータにより移送されているケーキを洗浄するための洗浄液を前記バスケットの底壁部よりも前記バスケットの開口部側に寄った位置で前記バスケットの周壁部側に供給する洗浄液供給装置が設けられている請求項１ないし７の何れか一つに記載の遠心分離機。
【請求項９】
前記ケーキ移送用ロータにより移送されているケーキを洗浄するための洗浄液を前記ロータ駆動軸の軸心部に設けられた洗浄液供給通路を通して、前記バスケットの底壁部よりも前記バスケットの開口部側に寄った位置で前記バスケットの周壁部側に供給する洗浄液供給装置が設けられている請求項２に記載の遠心分離機。
【請求項１０】
前記洗浄液供給通路は、前記バスケットの底壁部に対向する前記ロータ駆動軸の先端の手前の位置で終端するように設けられ、
前記洗浄液供給通路を通して供給された洗浄液を前記バスケットの周壁部側に噴出させるノズルが前記ロータ駆動軸に取り付けられている請求項９に記載の遠心分離機。
【請求項１１】
前記バスケットの周壁部は、前記バスケットの軸線方向に並べて配置されて隣り合う端部同士が連結された円筒状の複数のセクションからなり、
前記複数のセクションは、前記底壁部から離れた位置に配置されたセクションほど大きい内径を有するように構成され、
前記ケーキ移送用ロータは、前記バスケットの複数のセクションのそれぞれに対して設けられて、各セクションの内側に対応するケーキ移送用ロータが配置され、
前記ロータ駆動軸は、前記複数のセクションの内側にそれぞれ配置された複数のケーキ移送用ロータに対して共通に設けられている請求項１に記載の遠心分離機。
【請求項１２】
前記ケーキ移送用ロータの刃部は、該ケーキ移送用ロータと中心軸線を共有する棒状部材の外周に形成されたネジのネジ山からなっている請求項１ないし１１の何れか一つに記載の遠心分離機。
【請求項１３】
前記ケーキ移送用ロータの刃部は、リボン状の部材を、該ケーキ移送用ロータの回転中心軸線の回りを螺線状に延びるように成形することにより形成されたコイルからなっている請求項１ないし１１の何れか一つに記載の遠心分離機。
【請求項１４】
前記バスケット駆動装置及びロータ駆動装置は、バスケット及びケーキ移送用ロータをそれぞれ別々の回転駆動源により駆動するように構成されている請求項１ないし１３の何れか一つに記載の遠心分離機。
【請求項１５】
前記バスケット駆動装置及びロータ駆動装置は、前記バスケット及びケーキ移送用ロータに対して共通に設けられた回転駆動源の回転を、前記バスケット及びケーキ移送用ロータのそれぞれに対して設けられたバスケット駆動用動力伝達機構及びロータ駆動用動力伝達機構を介して前記バスケット及びケーキ移送用ロータにそれぞれ伝達するように構成され、
前記バスケットの回転速度と前記ケーキ移送用ロータの公転速度との間に差を持たせるために、前記バスケット駆動用動力伝達機構の変速比とロータ駆動用動力伝達機構の変速比とが異なる値を持つように設定されている請求項１ないし１３の何れか一つに記載の遠心分離機。
【請求項１６】
前記バスケットの周壁部の中心軸線を含む垂直面内で前記バスケットの周壁部の中心軸線及び前記ケーキ移送用ロータの回転中心軸線が水平方向に対してなす角度を調整し得るように構成されている請求項１ないし１５の何れか一つに記載の遠心分離機。
【発明の詳細な説明】
【技術分野】
【０００１】
本発明は、バスケットの回転により生じる遠心力を利用して原液を液分とケーキ分（固形分）とに分離する固液分離処理を連続的に行う遠心分離機に関するものである。
【背景技術】
【０００２】
遠心分離機としては、例えば特許文献１に記載されているようなバッチ式の遠心分離機と、特許文献２に示されているような連続式の遠心分離機とが知られている。
【０００３】
バッチ式の遠心分離機においては、周壁部に多数の透孔が形成されたバスケットを回転させながらその内部に原液を供給する給液工程と、バスケットの回転に伴って発生する遠心力によりバスケット内に供給した原液の液分をバスケットの周壁部の内周に配置されたフィルタと、バスケットの周壁部に設けられた透孔とを通して排出させる脱液工程と、脱液工程でフィルタの内側に堆積したケーキを回収するケーキ回収工程とを含む一連の工程を１サイクルの処理工程として、この処理工程を複数回繰り返すことにより、所定量の原液の固液分離処理を行う。
【０００４】
これに対し、連続式の遠心分離機においては、周壁部に液分を透過させるための透孔を有しないボウルと、ボウル内に該ボウルと中心軸線を共有した状態で配置されて、ボウルの回転速度と異なる回転速度で回転させられるスクリューコンベアとを設けて、ボウル内に連続的に供給される原液を、液分とケーキ分との比重差と遠心力とにより液分とケーキ分とに分離する固液分離工程と、固液分離工程により分離されたケーキをコンベア手段によりボウルの軸線方向に搬送して回収するケーキ回収工程と、液分をボウルに設けられた排液口から外部に排出させる排液工程とを並行して行わせることにより、原液を液分とケーキ分とに分離する固液分離処理を連続的に行なわせる。
【０００５】
従来の連続式遠心分離機においては、ボウル内でケーキを搬送するスクリューコンベアを、ボウルと中心軸線を共有させた状態で設けていたため、バッチ式の遠心分離機のように、ボウルの周壁部に液分を通過させるための透孔を設けて、ボウルの周壁部の内周に配置したフィルタと周壁部の透孔とを通して脱液を行わせようとすると、スクリューコンベアの外周の刃部とフィルタとの間に生じる相対的な摺動運動により、フィルタに大きな摩擦力が作用するため、フィルタが損傷するという問題が生じる。
【０００６】
ボウル内に配置するスクリューコンベアの外径をフィルタの内径よりも小さく設定して、スクリューコンベアの外周部をフィルタに接触させないようにすることも考えられるが、このように構成した場合には、スクリューコンベアの外周とフィルタとの間に隙間が形成されるため、フィルタの内周に相当量のケーキが層をなして残留してしまう。フィルタの内周にケーキ層が残留する状態になると、脱液が殆ど行われなくなるため、処理を中断してボウル内を清掃する必要が生じ、固液分離処理を連続的に行わせることができなくなる。
【先行技術文献】
【特許文献】
【０００７】
【特許文献１】特開平７−３２８４８４号公報
【特許文献２】特開平１０−４３６２６号公報
【発明の概要】
【発明が解決しようとする課題】
【０００８】
原液の固液分離処理を能率よく行なわせるためには、連続式の遠心分離機を用いることが好ましいが、従来の連続式遠心分離機によった場合には、ボウルの周壁部の内周にフィルタを配置して、このフィルタとボウルの周壁部に設けた透孔とを通して脱液を行わせることが難しかったため、脱液が十分に図られたケーキを得ることができなかった。
【０００９】
本発明の目的は、周壁部に液分を通過させるための透孔を有するバスケットを用いて、バスケットの内周に配置したフィルタとバスケットの周壁部に設けた透孔とを通して脱液を行わせる脱液動作と、バスケット内に形成されたケーキをバスケットから排出するケーキ排出動作とを並行して行わせて、十分に脱液が図られたケーキを連続的に得ることができるようにした遠心分離機を提供することにある。
【課題を解決するための手段】
【００１０】
本発明は、原液を液分とケーキとに分離する固液分離処理を行う遠心分離機を対象とする。本発明に係る遠心分離機は、液分を通過させる透孔を有する周壁部と該周壁部の軸線方向の一端を閉じる底壁部とを有して、前記周壁部の軸線方向の他端が開口させられ、前記周壁部の中心軸線を水平方向に向けるか、又は水平方向に対して傾斜させた状態で配置されて、前記周壁部の中心軸線を回転中心として回転させられるバスケットと、前記バスケットの周壁部の内周面を覆うように配置されたフィルタと、前記バスケットの周壁部の中心軸線と平行に延びる回転中心軸線を持って前記バスケット内に配置される部分を有して、前記バスケットの周壁部の中心軸線を中心とした公転運動と前記回転中心軸線を中心とした自転運動とを行ない得るように設けられたケーキ移送用ロータと、前記バスケットを回転駆動するバスケット駆動装置と、前記ケーキ移送用ロータをバスケットの回転方向と同方向に公転させるように前記ケーキ移送用ロータを駆動するロータ駆動装置と、前記バスケットの底壁部寄りの位置で前記バスケットの周壁部側に原液を供給する給液装置とを備えている。前記ケーキ移送用ロータは、前記バスケットの周壁部の内径よりも小さい外径を持って前記回転中心軸線の回りを該回転中心軸線に沿って螺旋状に延びる刃部を有して、該刃部を前記フィルタの内周面に接触させた状態を保って前記公転運動と自転運動とを行ない得るように設けられ、前記バスケットの回転速度と前記ケーキ移送用ロータの公転速度との間に差を持たせることにより前記ケーキ移送用ロータに自転運動を行なわせて前記ケーキ移送用ロータを前記フィルタ上で前記バスケットの周壁部の周方向に沿って転動させた際に、前記ケーキ移送用ロータの刃部が前記フィルタの内周に存在するケーキを前記バスケットの開口部側に移動させるように構成されている。
【００１１】
上記のように構成すると、バスケットを脱液時の速度で高速回転させるとともに、バスケットの回転速度との間に差を持たせた公転速度でケーキ移送用ロータをバスケットの回転方向と同方向に公転させることにより、ケーキ移送用ロータをバスケットの周壁部の周方向に転動させながらバスケット内に原液を供給して、該原液中の液分をバスケットの回転に伴って生じる遠心力によりフィルタとバスケットの周壁部の透孔とを通して外部に排出する脱液動作と、自転運動を行ないながらバスケットの周壁部の周方向に転動しているケーキ移送用ロータの刃部によりフィルタ上に形成されたケーキをバスケットの開口部側に移動させて該ケーキをバスケットの開口部から外部に排出する動作とを並行させて行わせることができるため、原液の固液分離処理を連続的に行わせることができる。
【００１２】
本発明に係る遠心分離機によれば、ケーキ移送用ロータの刃部によりケーキを動かしながら、バスケットの周壁部の内周に配置されたフィルタとバスケットの周壁部に設けられた透孔とを通して脱液を行うことができるため、脱液率を高めて、残留する液分が極めて少ないケーキを得ることができる。
【００１３】
本発明において用いるケーキ移送用ロータは、その刃部がバスケット内でフィルタの内周面に接触した状態に保持されるが、ケーキ移送用ロータの刃部はフィルタの周方向に沿って転動していくだけで、フィルタに摺動接触することはなく、フィルタに摩擦力が作用することは殆どないため、ケーキ移送用ロータがフィルタを損傷することはない。ケーキ移送用ロータはその螺旋状の刃部がフィルタに接しながらフィルタの周方向に転動して、フィルタ上に形成されたケーキを移送するため、フィルタ上に脱液を妨げる程のケーキ層が形成されることはない。従って、本発明に係る遠心分離機によれば、フィルタとバスケットの周壁部の透孔とを通して行われる脱液動作と、ケーキの移送・排出・回収動作とを中断することなく連続的に行わせることができ、原液の固液分離処理を能率よく行わせることができる。
【００１４】
また本発明によれば、ケーキ移送用ロータによりフィルタが損傷されることがないため、フィルタとしては、緻密な結晶の通過を阻止することができるろ布を用いることができる。従って本発明によれば、緻密な結晶を有し、しかも残留している液分が少ないケーキを連続的に得ることができる。
【００１５】
本発明の好ましい態様では、バスケットの周壁部と中心軸線を共有した状態で前記周壁部の開口部と反対側に延びるバスケット駆動軸が前記バスケットの底壁部の外側に設けられて、該バスケット駆動軸の先端部が前記バスケットの底壁部に固定される。この場合、バスケット駆動装置は、バスケット駆動軸をその後端部側で駆動するように構成される。またバスケットの周壁部と中心軸線を共有した状態でバスケット内に配置された部分を有して前記ロータ駆動装置により回転駆動されるロータ駆動軸が設けられ、このロータ駆動軸に固定されたロータ支持部材に後端部側が回動自在に支持されたスウィングアームの先端部に前記ケーキ移送用ロータが回転自在に支持される。またロータ駆動軸が停止しているときにケーキ移送用ロータを前記フィルタの内周面よりもバスケットの周壁部の内径側に寄った位置に設定された退避位置に保持するために、前記スウィングアームをバスケットの周壁部の内径側に付勢するアーム付勢手段が設けられ、前記ロータ駆動軸が回転駆動されたときに前記スウィングアームが遠心力により前記アーム付勢手段の付勢力に抗して前記バスケットの周壁部側に振り出されることにより、前記ケーキ移送用ロータの刃部が前記フィルタの内周に接触した状態にされるように構成されている。
【００１６】
上記のように構成しておくと，ロータ駆動軸が停止しているときに、ケーキ移送用ロータをフィルタから離反させてバスケットの周壁部の内径側に退避させた状態に保持することができるため、バスケット内へのケーキ移送用ロータの挿脱を容易に行なわせることができ、遠心分離機のメンテナンスを容易に行なわせることができる。
【００１７】
本発明の他の態様は、後述する発明を実施するための形態の説明中で明らかにされる。
【発明の効果】
【００１８】
本発明によれば、バスケットを脱液時の速度で高速回転させるとともに、バスケットの回転速度との間に差を持たせた公転速度でケーキ移送用ロータをバスケットの回転方向と同方向に公転させることにより、ケーキ移送用ロータをバスケットの周壁部の周方向に転動させながらバスケット内に原液を供給して、該原液中の液分をバスケットの回転に伴って生じる遠心力によりフィルタとバスケットの周壁部の透孔とを通して外部に排出する脱液動作と、フィルタ上に形成されたケーキを、自転運動を行ないながらバスケットの周壁部の周方向に転動しているケーキ移送用ロータの刃部によりバスケットの開口部側に移動させて該ケーキをバスケットの開口部から外部に排出する動作とを並行させて行わせることができるため、原液の固液分離処理を連続的に行わせることができる。
【００１９】
また本発明によれば、ケーキ移送用ロータの刃部によりケーキを動かしながら、バスケットの周壁部の内周に配置されたフィルタとバスケットの周壁部に設けられた透孔とを通して脱液を行うため、脱液率を高めて、残留する液分が極めて少ないケーキを得ることができる。
【００２０】
また本発明によれば、ケーキ移送用ロータをフィルタに摺動接触させることなく、ケーキ移送用ロータをフィルタ上で転動させながらケーキを移送するので、フィルタを損傷することなくケーキの移送を行わせることができる。ケーキ移送用ロータはその刃部がフィルタに接した状態を保ちながらフィルタ上を転動して、フィルタ上に形成されたケーキを移送するため、フィルタ上に脱液を妨げる厚さを有するケーキ層が形成されるのを防ぐことができ、固液分離処理とケーキの回収動作とを中断することなく連続的に行わせて、原液の固液分離処理を能率よく行わせることができる。
【００２１】
また本発明によれば、ケーキ移送用ロータがフィルタを損傷することがないため、フィルタとして、緻密な結晶の通過を阻止することができるろ布を用いて、緻密な結晶を有し、しかも残留している液分が少ないケーキを連続処理により得ることができる。
【図面の簡単な説明】
【００２２】
【図１】図１は、本発明の一実施形態の要部の構成を示す断面図である。
【図２】図２は、図１に示されたバスケットとその内部に挿入されたケーキ移送用ロータとを図１の左側から見て示した正面図である。
【図３】図３は、図１に示した実施形態において、ケーキ移送用ロータを図１に示された位置から９０度回転させた状態を示す断面図である。
【図４】図４は、図３に示されたバスケットとその内部に配置されたケーキ移送用ロータとを図３の左側から見て示した正面図である。
【図５】図５は、本発明の他の実施形態の要部の構成を示した断面図である。
【図６】図６は、図５に示されたバスケットとその内部に配置されたケーキ移送用ロータとを図５の左側から見て示した正面図である。
【図７】図７は、本発明で用いるケーキ移送用ロータの一例を示した正面図である。
【図８】図８は、本発明で用いるケーキ移送用ロータの他の例を示した正面図である。
【図９】図９は、本発明に係わる遠心分離機を構成するに当たり、バスケット及びケーキ移送用ロータをそれぞれ別々のモータにより駆動する構成をとる場合の遠心分離機全体の構成の一例を示した上面図である。
【図１０】図１０は、図９の正面図である。
【図１１】図１１は、図１０の左側面図である。
【図１２】図１２は、本発明に係わる遠心分離機を構成するに当たり、バスケット及びケーキ移送用ロータを共通のモータにより駆動する構成をとる場合の遠心分離機全体の構成の一例を示した上面図である。
【図１３】図１３は、図１２の正面図である。
【図１４】図１４は、図１３の左側面図である。
【図１５】図１５は、本発明の他の実施形態の要部の構成を概略的に示した断面図である。
【発明を実施するための形態】
【００２３】
以下図面を参照して本発明の実施形態について詳細に説明する。
図１ないし図４を参照すると、本発明の第１の実施形態の要部の構成が示されている。これらの図において、１及び２はそれぞれの板面を対向させた状態で、横方向（水平方向）に間隔を隔てて配置された矩形状の第１及び第２の側板である。３は第１の側板１の幅方向（図の紙面と直角な方向）の一端（図の裏面側に位置する端部）と第２の側板２の幅方向の一端（図の紙面の裏面側に位置する端部）とに跨がって配置されて両側板の幅方向の一端に固定された矩形状の第３の側板、４は第１の側板１の幅方向の他端（図の紙面の手前側に位置する端部）と第２の側板２の幅方向の他端とに跨がって配置されて両側板の幅方向の他端に固定された矩形状の第４の側板である。第１の側板１ないし第４の側板４によりフレーム５が構成されている。このフレームは適宜の手段により図示しない支持台に固定されている。
【００２４】
６は、板面を第１の側板１及び第２の側板２の板面と平行な方向に向けた状態で第１の側板１と第２の側板２との間に配置されて、その幅方向の一端及び他端がそれぞれ第３の側板３及び第４の側板４に固定された矩形状の仕切り板である。また７は、第１の側板１ないし第４の側板４の上端と仕切り板６の上端とに固定された天板、８は第１の側板１の下端と、第３の側板３及び第４の側板４の下端と仕切り板６の下端とに固定された底板であり、第１の側板１と、第３及び第４の側板３及び４と、仕切り板６と、天板７と、底板８とにより囲まれた空間により排液室９が構成されている。排液室９の下部には排液口１０が設けられている。また第２の側板２と、第３及び第４の側板３及び４と、天板７と、仕切り板６とにより囲まれた空間によりケーキ回収室１１が構成されている。ケーキ回収室１１の下端は下方に開口した開口部１２となっていて、後述するバスケットからケーキ回収室１１内に排出されたケーキが、開口部１２から下方に排出されて回収される。
【００２５】
仕切り板６には、円形の貫通孔１４が形成され、この貫通孔１４を通して排液室９内にバスケット２０が挿入されている。バスケット２０は、液分を通過させる多数の透孔ｈを有する円筒状の周壁部２１と、該周壁部の軸線方向の一端２１ａを閉じる底壁部２２とを有している。バスケットの周壁部２１の軸線方向の他端２１ｂは、該周壁部の径方向の内側に突出する部分を持たない状態で開口させられている。周壁部２１の軸線方向の他端２１ｂには外フランジ２３が形成されている。バスケット２０は、その周壁部２１の中心軸線Ｏ−Ｏを水平方向に向けた状態で、かつ外フランジ部２３を仕切り板６に設けられた貫通孔１４の内側に位置させた状態で配置されている。本実施形態では、バスケット２０の周壁部２１の中心軸線Ｏ−Ｏがバスケット２０の中心軸線でもあり、周壁部２１の他端の開口部（周壁部の開放端）がバスケットの開口部（開放端）でもある。バスケット２０を貫通させるために仕切り板６に設けられた貫通孔１４は、バスケット２０の回転を妨げることがない大きさに設定され、バスケット２０は、バスケット駆動装置により、その中心軸線Ｏ−Ｏを中心にして回転させられる。
【００２６】
バスケット２０を回転自在に支持するため、バスケット２０の底壁部２２の中央部に、バスケットの開口部と反対側に突出したボス部２４が設けられ、ボス部２４の軸心部には、バスケットの周壁部と中心軸線を共有するを貫通孔が設けられている。ボス部２４の貫通孔には、中心軸線をバスケット２０の中心軸線Ｏ−Ｏに一致させた状態で設けられて、フレーム５の第１の側板１に軸受装置２５を介して回転自在に支持されたバスケット駆動軸２６の先端部が嵌合されている。バスケット駆動軸２６は、キー止め等の適宜の手段によりボス部２４に固定され、バスケット駆動軸２６がモータにより回転駆動されることにより、バスケット２０が、その中心軸線Ｏ−Ｏを中心にして回転させられる。バスケット駆動軸２６と、モータ等の回転駆動源と、この回転駆動源の回転をバスケット駆動軸２６に伝達する動力伝達機構とによりバスケット駆動装置が構成される。
【００２７】
バスケット駆動軸２６の軸心部には、該駆動軸２６を軸線方向に貫通した給液通路２７が形成されている。給液通路２７は、固液分離処理を行なう原液をバスケット２０内の底壁部２２寄りの領域でバスケットの周壁部２１側に供給するために設けられたもので、その一端はバスケット２０の底壁部２２の中央部の内面に開口させられている。
【００２８】
バスケットの底壁部２２の内面の中央寄りの、バスケット駆動軸２６の先端部を取り囲む環状の領域２２ａは、周壁部２１の中心軸線とほぼ直交する平坦面となっており、底壁部２２の内面の周壁部２１寄りの（環状領域２２ａを取り囲む）環状領域２２ｂは、周壁部２１側に向かうに従ってバスケット２０の開口部側に寄っていくように傾斜した傾斜面となっている。バスケット駆動軸２６のバスケット２０と反対側の端部（後端部）は、ロータリジョイントとバルブと給液パイプとを通して原液供給源に接続され、原液供給源と、給液パイプと、バルブと、ロータリジョイントと、バスケット駆動軸２６内の給液通路２７とにより、バスケットの底壁部寄りの位置でバスケットの周壁部側に原液を供給する給液装置が構成されている。本実施形態では、給液通路２７を通してバスケット２０内に供給された原液が、バスケット２０の底壁部２２の内面に沿ってバスケットの周壁部２１側に供給される。
【００２９】
バスケット２０の周壁部２１の内側には該周壁部の内周面を覆うフィルタ３０が配置されて、適宜の手段により周壁部２１に対して固定されている。フィルタ３０としては、バッチ式の遠心分離機において広く用いられているろ布や、金属に無数の透過孔を形成した多孔板や金網等からなる金属フィルタを用いることができる。
【００３０】
本実施形態では、フィルタ３０としてろ布が用いられている。フィルタ３０は、バスケット２０の周壁部２１の内周を覆うように形成された円筒状の本体部分と、バスケットの周壁部の一端２１ａ側に位置する本体部分の一端に形成された内フランジ部（図示せず。）と、バスケットの周壁部の他端２１ｂ側に位置する本体部分の他端に形成された外フランジ部（図示せず。）とを一体に有している。
【００３１】
フィルタ３０は、その本体部分をバスケットの周壁部２１の内周に添わせた状態で配置され、その内フランジ部が、バスケットの底壁部２２の外周寄りの部分にネジ止めされたリング状のフィルタ固定部材３１と底壁部２２の外周寄りの部分との間に挟み込まれている。フィルタ３０の本体部分の他端の外フランジ部は、バスケット２０の周壁部の軸線方向の他端２１ｂの外フランジ部２３の端面と、ネジ等により外フランジ部２３に対して固定されたリング状のフィルタ押え３２との間に挟み込まれることにより、バスケット２０に対して固定されている。
【００３２】
図１及び図４において、符号３４で示されたホーン状の部材は、バスケット２０の周壁部２１に設けられている透孔ｈを通して排出される液分が、排液回収室９とケーキ回収室１１との間を仕切る仕切り板６側に飛散して、飛散した液分が仕切り板６に設けられている貫通孔１４を通してケーキ回収室１１側に侵入するのを防ぐためにバスケット２０の周壁部２１に固定された覆いである。
【００３３】
バスケット２０内には、バスケットの周壁部２１の中心軸線Ｏ−Ｏと平行に延びる回転中心軸線Ｏ′−Ｏ′（図３参照）を有するケーキ移送用ロータ４０が挿入されている。ケーキ移送用ロータ４０は、バスケットの周壁部２１の中心軸線Ｏ−Ｏと平行に延びる回転中心軸線Ｏ′−Ｏ′を持ってバスケットの周壁部２１の内側に配置される部分を有して、バスケットの周壁部２１の中心軸線Ｏ−Ｏを中心とした公転運動と、回転中心軸線Ｏ′−Ｏ′を中心とした自転運動とを行ない得るように設けられている。
【００３４】
本実施形態で用いているケーキ移送用ロータ４０は、バスケット２０の周壁部の軸線方向寸法よりも大きい軸線方向寸法を有するように形成されている。ケーキ移送用ロータ４０は、その大部分がバスケット２０内に配置されて、その一端がバスケットの底壁部２２に近接した位置に配置されるとともに、その他端寄りの部分がバスケット２０の開口部から外側に突出した状態で配置されている。
【００３５】
本実施形態で用いているケーキ移送用ロータ４０は、図７に示したように、フィルタ３０の内周面の半径よりも小さい一定の外径ｒを持って回転中心軸線Ｏ′−Ｏ′の回りを回転しながら回転中心軸線Ｏ′−Ｏ′に沿って移動していく螺旋形状を呈するように形成された刃部４０ａを外周側に有している。ケーキ移送用ロータ４０は、バスケット２０内に配置された部分に形成された螺旋形状の刃部４０ａの各ターンのフィルタ３０に対向する部分をフィルタ３０の内周面に接触させた状態に保持して、バスケット２０の周壁部２１の中心軸線Ｏ−Ｏを中心とした公転運動と，回転中心軸線Ｏ′−Ｏ′を中心とした自転運動とを行い得るように設けられている。
【００３６】
図７に示されたケーキ移送用ロータ４０は、円柱状の金属棒４０ｂの外周に形成された螺旋状のネジ山を刃部４０ａとしたものからなっている。ケーキ移送用ロータ４０の軸線方向の一端及び他端にはそれぞれ、該ロータ４０を後記するスウィングアームの自由端に回転自在に支持する際にスウィングアーム側に設けられた孔に軸受を介して支持されるピン状の軸部４０ｃ及び４０ｄが、それぞれの中心軸線をロータ４０の回動中心軸線に一致させた状態で形成されている。
【００３７】
ケーキ移送用ロータ４０は一つだけ設けられていてもよいが、ケーキ移送用ロータに安定に公転運動を行なわせ、フィルタの全周に形成されたケーキを満遍なく移送するためには、ケーキ移送用ロータ４０を複数個設けて、該複数個のケーキ移送用ロータをバスケットの周壁部の周方向に等角度間隔で並べて配置した状態で公転運動を行なわせることが好ましい。本実施形態では、２つのケーキ移送用ロータ４０が設けられて、該２つのケーキ移送用ロータが１８０°の角度間隔を隔てた対称位置に配置されている。
【００３８】
バスケット内でケーキ移送用ロータ４０に公転運動と自転運動とを行なわせるため、バスケット２０の周壁部２１と中心軸線を共有した状態でバスケット内に配置される部分を有するロータ駆動軸４１が設けられて、このロータ駆動軸にケーキ移送用ロータ４０が支持される。
【００３９】
図示のロータ駆動軸４１は、バスケット２０と中心軸線を共有した状態でフレーム５の第２の側板２に軸受装置４２を介して回転自在に支持されて、バスケット２０の開口部を通してバスケット２０内に挿入されている。ロータ駆動軸４１は、図１及び図３の左方に配置された後述するロータ駆動装置により回転駆動される。
【００４０】
ロータ駆動軸４１には、該ロータ駆動軸の軸線方向に間隔を隔てて配置された２個のアーム状のロータ支持部材４３，４４の中間部が固定され、ロータ支持部材４３の一端及び他端にそれぞれ同じ長さを有するスウィングアーム４５及び４６の後端部が回動自在に支持されている。同様に、ロータ支持部材４４の一端及び他端にそれぞれスウィングアーム４５及び４６と同じ長さを有するスウィングアーム４７及び４８の後端部が回動自在に支持されている。
【００４１】
本実施形態では、図３に見られるように、ロータ支持部材４３の一端とロータ支持部材４４の一端との間が、バスケット２０の中心軸線と平行に延びる中心軸線を有する連結棒５１により連結され、ロータ支持部材４３の他端とロータ支持部材４４の他端との間がバスケット２０の中心軸線と平行に延びる中心軸線を有する連結棒５２（図３参照）により連結されている。
【００４２】
バスケットの底壁部２２側に位置する連結棒５１の一端及びバスケットの開口部側に位置する連結棒５１の他端にそれぞれピン状のアーム支持部が一体に形成され、連結棒５１の一端及び他端に形成されたピン状のアーム支持部がそれぞれロータ支持部材４３の一端及びロータ支持部材４４の一端に設けられた貫通孔に嵌合されてバスケットの底壁部２２側及びバスケットの開口部側に導出されている。
【００４３】
ロータ支持部材４３の一端及びロータ支持部材４４の一端をそれぞれ貫通してバスケットの底壁部２２側及びバスケットの開口部側にそれぞれ導出された連結棒５１の一端側及び他端側のアーム支持部は、それぞれスウィングアーム４５及び４７の後端部に設けられた孔に軸受を介して嵌合され、これにより、スウィングアーム４５及び４７の後端部がロータ支持部材４３及び４４の一端に回動自在に支持されている。連結棒５１の一端及び他端にそれぞれ設けられたアーム支持部の端部にはネジ５３及び５４により、座金状のストッパが取り付けられ、これらのストッパにより、スウィングアーム４５及び４７の後端部が連結棒５１の一端及び他端のアーム支持部から外れるのが防止されている。
【００４４】
同様に、バスケットの底壁部２２側に位置する連結棒５２の一端及びバスケットの開口部側に位置する連結棒５２の他端にそれぞれピン状のアーム支持部が一体に形成され、連結棒５２の一端及び他端に形成されたピン状のアーム支持部がそれぞれロータ支持部材４３の他端及びロータ支持部材４４の他端に設けられた貫通孔に嵌合されて、バスケットの底壁部２２側及びバスケットの開口部側に導出されている。
【００４５】
ロータ支持部材４３の他端及びロータ支持部材４４の他端をそれぞれ貫通してバスケットの底壁部２２側及びバスケットの開口部側に導出された連結棒５２の一端側及び他端側のアーム支持部は、それぞれスウィングアーム４６及び４８の後端部に形成された孔に軸受を介して嵌合され、これにより、スウィングアーム４６及び４８の後端部がロータ支持部材４３及び４４の他端に回動自在に支持されている。連結棒５２の一端及び他端にそれぞれ設けられたアーム支持部の端部にはネジ５５及び５６により座金状のストッパが取付けられ、これらのストッパにより、スウィングアーム４６及び４８の後端部が連結棒５２の一端及び他端のアーム支持部から外れるのが防止されている。
【００４６】
スウィングアーム４５の先端に設けられた孔内及びスウィングアーム４７の先端に設けられた孔内にそれぞれ一方のケーキ移送用ロータ４０の軸線方向の一端側及び他端側にそれぞれ設けられた軸部４０ｃ及び４０ｄ（図７参照）が軸受を介して支持されることにより、スウィングアーム４５及び４７の先端にケーキ移送用ロータ４０が、その回動中心軸線Ｏ′−Ｏ′をバスケットの周壁部の中心軸線と平行な方向に向けた状態で回転自在に支持されている。ケーキ移送用ロータ４０の軸部４０ｃ及び４０ｄにはそれぞれネジ５７及び５８により座金状のストッパが取り付けられ、これらのストッパによりケーキ移送用ロータ４０の軸部４０ｃ及び４０ｄがスウィングアーム４５及び４７のそれぞれの先端に設けられた孔から外れるのが防止されている。
【００４７】
同様に、スウィングアーム４６の先端に設けられた孔内及びスウィングアーム４８の先端に設けられた孔内にそれぞれ他方のケーキ移送用ロータ４０の軸線方向の一端側及び他端側にそれぞれ設けられた軸部４０ｃ及び４０ｄ（図７参照）が軸受を介して支持されることにより、スウィングアーム４６及び４８の先端にケーキ移送用ロータ４０が、その回動中心軸線をバスケットの周壁部の中心軸線と平行な方向に向けた状態で回転自在に支持されている。ケーキ移送用ロータ４０の軸部４０ｃ及び４０ｄにはそれぞれネジ５９及び６０により座金状のストッパが取り付けられ、これらのストッパによりケーキ移送用ロータ４０の軸部４０ｃ及び４０ｄがスウィングアーム４６及び４８のそれぞれの先端に設けられた孔から外れるのが防止されている。
【００４８】
ロータ駆動軸４１が停止しているときに２つのケーキ移送用ロータ４０をフィルタ３０の内周面から離れた退避位置に保持するために、対をなすスウィングアーム４５，４７の先端部をバスケットの周壁部２１から離反させる方向に（周壁部２１の内径側に）スウィングアーム４５，４７を付勢するアーム付勢手段４９と、他の対をなすスウィングアーム４６，４８の先端部をバスケットの周壁部２１から離反させる方向に（周壁部２１の内径側に）スウィングアーム４６，４８を付勢するアーム付勢手段４９′とが設けられ、ロータ駆動軸４１が停止しているときには、２つのケーキ移送用ロータ４０がバスケットの周壁部の内側に設定された退避位置に配置されて、両ロータの外周とフィルタ３０との間に隙間が形成されるようになっている。上記アーム付勢手段は、例えばバネにより構成することができる。
【００４９】
ロータ駆動軸４１が回転させられたときには、スウィングアーム４５，４７及び４６，４８により支持されたケーキ移送用ロータ４０，４０が遠心力により上記アーム付勢手段の付勢力に抗してバスケット２０の周壁部２１側に振り出されるため、ロータ駆動軸４１が回転している間ケーキ移送用ロータ４０，４０の螺旋状の刃部の各ターンのフィルタ３０に対向している部分がフィルタ３０の内周面に接触した状態に保持される。
【００５０】
上記のように、ロータ駆動軸４１が停止しているときにケーキ移送用ロータ４０が退避位置に配置されるようにしておくと、バスケット２０内へのケーキ移送用ロータの挿脱を容易にすることができる。また上記のように構成しておくと、アーム付勢手段の付勢力を調整することにより、固液分離処理時にケーキ移送用ロータ４０がフィルタ３０に接する際の接圧を適宜に調整することができる。
【００５１】
本実施形態では、固液分離処理時にバスケット２０の底壁部２１よりもバスケットの開口部側に寄った位置でバスケットの周壁部２１側に洗浄液を供給するために、ロータ駆動軸４１の軸心部に、洗浄液供給通路６５が設けられている。洗浄液供給通路６５は、バスケット２０の底壁部に対向するロータ駆動軸の先端の手前の位置で終端するように設けられ、洗浄液供給通路６５を通して供給された洗浄液をバスケット２０の周壁部２１側に噴出させる一対のノズル６７，６８がロータ駆動軸４１に取り付けられている。
【００５２】
ロータ駆動軸４１は、図示しないロータリジョイントと、図示しないバルブと、図示しない洗浄液供給パイプとを通して図示しない洗浄液供給源に接続され、洗浄液供給源から洗浄液供給パイプとバルブとロータリジョイントとを通して洗浄液供給通路６５に洗浄液（通常は清水）が供給される。洗浄液供給通路６５に供給された洗浄液は、ロータ駆動軸４１と共に回転しているノズル６７，６８からバスケットの周壁部２１側に噴出させられる。この洗浄液により、ケーキ移送用ロータ４０によりバスケットの開口部側に移送されているケーキが洗浄される。ケーキを洗浄した洗浄液はフィルタ３０とバスケットの周壁部に設けられた透孔とを通して排液室９内に排出される。
【００５３】
洗浄液供給通路６５と、ロータ駆動軸４１にロータリジョイントとバルブと洗浄液供給パイプとを通して接続された洗浄液供給源とにより、バスケット内でケーキ移送用ロータ４０により移送されているケーキを洗浄するための洗浄液をバスケットの底壁部２２よりもバスケットの開口部側に寄った位置でバスケットの周壁部側に供給する洗浄液供給装置が構成される。
【００５４】
バスケット２０やケーキ移送用ロータの洗浄や部品の交換等のメンテナンスを容易に行なわせることができるようにするため、フレーム５の一部を容易に開放できるように構成しておくことが望ましい。例えば、フレーム５の第２の側板２を開閉し得るように構成して、第２の側板２を開くことにより、ロータ駆動軸４１及びケーキ移送用ロータ４０をバスケット２０内から抜き出し、第２の側板２を閉じることにより、ロータ駆動軸４１及びケーキ移送用ロータ４０をバスケット２０内に挿入するようにしておくことが望ましい。またメンテナンスを容易にするために、フレーム５の第３の側板３及び第４の側板４の少なくとも一方を着脱又は開閉し得るようにしておくことが望ましい。
【００５５】
バスケット２０を回転駆動するバスケット駆動装置及びケーキ移送用ロータ４０に公転運動を行わせるようにケーキ移送用ロータ４０を駆動するロータ駆動装置は、バスケット２０及びケーキ移送用ロータ４０をそれぞれ別々の回転駆動源により駆動するように構成してもよく、バスケット及びケーキ移送用ロータを共通の回転駆動源により駆動するように構成してもよい。
【００５６】
図９ないし図１１は、バスケット２０を回転駆動するバスケット駆動装置と、ケーキ移送用ロータに公転運動を行わせるようにケーキ移送用ロータを駆動するロータ駆動装置とを別々の回転駆動源により駆動するように構成する場合の遠心分離機の要部の構成を概略的に示したものである。
【００５７】
図９ないし図１１において、１００は遠心分離機の各部を支持する支持台である。支持台１００は、長方形のベース板１０１と、ベース板１０１の長手方向の一端及び他端にそれぞれ支持された昇降装置１０２及び１０３（図１０及び図１１参照）と、昇降装置１０２及び１０３の上に支持された支持板１０４とを備えている。昇降装置１０２及び１０３は油圧シリンダや、モータを駆動源とした螺進機構により構成されていて、昇降装置１０２及び１０３によって支持板１０４の長手方向の一端側の高さ及び（又は）他端側の高さを調整することにより、バスケットの周壁部の中心軸線を含む垂直面内で、バスケットの周壁部の中心軸線及びケーキ移送用ロータの回転中心軸線が水平方向に対してなす角度を調整し得るようになっている。
【００５８】
遠心分離機のフレーム５とその内部に配置されたバスケット及びケーキ移送用ロータは、支持板１０４の幅方向の一端寄りの位置を該支持板の長手方向に延びる一つの直線Ｌ１−Ｌ１を含み、かつ支持板１０４の上面と直交する垂直面内にバスケット２０の中心軸線とケーキ移送用ロータ４０の回転中心軸線とを位置させた状態で、支持板１０４の上に支持されている。
【００５９】
支持板１０４の幅方向の他端寄りに位置させて、支持板１０４の長手方向の一端寄りの位置及び他端寄りの位置にそれぞれバスケットを回転駆動する回転駆動源としてのバスケット駆動用モータ１１０及びロータ駆動軸を回転駆動する回転駆動源としてのロータ駆動用モータ１１１が配置されている。バスケット駆動用モータ１１０の出力軸１１２及びバスケット駆動軸２６にそれぞれプーリ１１３及び１１４が取り付けられ、これらのプーリにベルト１１５が掛け渡されている。モータ１１０の回転がプーリ１１３とベルト１１５とプーリ１１４とを通してバスケット駆動軸２６に伝達され、バスケット２０が回転駆動される。プーリ１１３及び１１４とベルト１１５とにより、モータ１１０の回転をバスケット駆動軸に伝達する動力伝達機構が構成され、この動力伝達機構とバスケット駆動用モータ１１０とにより、バスケット２０を一方向に回転駆動するバスケット駆動装置が構成されている。
【００６０】
またロータ駆動用モータ１１１の出力軸１１６及びロータ駆動軸４１にそれぞれプーリ１１７及びプーリ１１８が取り付けられ、これらのプーリにベルト１１９が掛け渡されている。ロータ駆動用モータ１１１の回転がプーリ１１７とベルト１１９とプーリ１１８とを通してロータ駆動軸４１に伝達されて、ロータ駆動軸４１が回転駆動される。これによりケーキ移送用ロータ４０，４０がバスケットの中心軸線を中心として回転させられ、ケーキ移送用ロータ４０，４０がバスケットの中心軸線を中心にして公転運動を行なう。プーリ１１７とベルト１１９とプーリ１１８とにより、モータ１１１の回転をロータ駆動軸４１に伝達する動力伝達機構が構成され、この動力伝達機構とロータ駆動用モータ１１１とによりケーキ移送用ロータをバスケット２０の回転方向と同方向に公転させるようにケーキ移送用ロータを駆動するロータ駆動装置が構成されている。
【００６１】
バスケット駆動軸２６はロータリジョイント１２０と図示しないバルブと給液パイプとを通して原液供給源（例えば原液を収容したタンク）に接続される。またロータ駆動軸４１はロータリジョイント１２１と図示しないバルブと洗浄液供給パイプとを通して洗浄液の供給源に接続される。
【００６２】
本発明に係る遠心分離機において、バスケット内に形成されたケーキをケーキ移送用ロータにより移送する際には、ケーキ移送用ロータに自転運動を行わせるために、バスケット２０の回転速度とケーキ移送用ロータ４０の公転速度との間に差を持たせる必要がある。図９ないし図１１に示したように、バスケット２０及びケーキ移送用ロータ４０を別々のモータ１１０及び１１１により回転駆動するようにした場合には、モータ１１０及び１１１の回転速度を調整することにより、バスケット２０の回転速度とケーキ移送用ロータ４０の公転速度との間に容易に差を持たせることができ、両速度の差の微調整も容易に行なうことができる。
【００６３】
しかしながら本発明は上記のようにバスケット２０及びケーキ移送用ロータ４０を別々のモータにより駆動する場合に限定されるものではなく、バスケット２０及びケーキ移送用ロータ４０を共通のモータにより駆動するように構成することもできる。
【００６４】
図１２ないし図１４を参照すると、バスケット２０及びケーキ移送用ロータ４０を共通のモータにより駆動する場合の遠心分離機の構成が示されている。図１２ないし図１４に示された例では、バスケットを収容した箱形のフレーム５の側方に１つのモータ１３０がその回転中心軸線をバスケットの中心軸線と平行な方向に向けた状態で配置されている。モータ１３０のロータを支持している回転軸は、該モータのハウジングの軸線方向の一端側及び他端側の双方から出力軸１３１及び１３２として外部に導出されている。図示の例では、出力軸１３１及び１３２がそれぞれバスケット駆動軸２６及びロータ駆動軸４１と平行に延びるようにモータが配置されていて、出力軸１３１及び出力軸１３２にそれぞれプーリ１１３及び１１７が取り付けられている。プーリ１１３とバスケット駆動軸２６に取付けられたプーリ１１４とにベルト１１５が掛け渡され、プーリ１１７とロータ駆動軸４１に取付けられたプーリ１１８とにベルト１１９が掛け渡されている。
【００６５】
本実施形態では、バスケット２０の回転速度とケーキ移送用ロータ４０の公転速度とに差を持たせるため、プーリ１１３及び１１４とベルト１１５とからなる動力伝達機構の減速比と、プーリ１１７及び１１８とベルト１１９とからなる動力伝達機構の減速比とが異なる値に設定されている。
【００６６】
図１２ないし図１４に示したように構成した場合には、一つのモータ１３０によりバスケット２０とケーキ移送用ロータ４０とを駆動することができるため、本発明に係る遠心分離機の構成の簡素化及び小形化と、コストの低減とを図ることができる。
【００６７】
本実施形態においては、バスケット駆動軸２６が一つの軸受装置２５のみにより支持されているが、強度を確保するため、軸受装置２５の後方（バスケットの底壁部から離れた位置）に更に他の軸受装置を設けて、この軸受装置によってもバスケット駆動軸を支持するようにしても良い。
【００６８】
また強度を確保するために、バスケット２０の開口部側の端部をベアリングを介してフレーム５に対して支持するようにすることもできる。
【００６９】
また図１ないし図４に示された実施形態において、ケーキ移送用ロータ４０の支持構造を強固にしてロータ４０が振動するのを防ぐために、ロータ駆動軸４１の先端をバスケット２０の底壁部２２に軸受を介して支持する構造を採用することもできる。
【００７０】
本実施形態に係る遠心分離機において、ケーキ移送用ロータ４０がバスケット２０の回転速度と同じ速度でバスケットの中心軸線Ｏ−Ｏを中心にしてバスケットの回転方向と同方向に公転運動を行なっているときには、ケーキ移送用ロータ４０がフィルタ３０の内周面に沿って転動する（バスケットに対して相対的に回転する）ことはなく、ケーキ移送用ロータ４０は、その刃部の各ターンの一部（フィルタ３０に対向している部分）をバスケット２０の周壁部の内側のフィルタ３０の同じ位置に接触させた状態を保って公転運動を行なうだけである。この状態では、ケーキ移送用ロータ４０がフィルタ３０上のケーキに対して回転運動を行なうことはないため、該ロータがケーキを移送する作用を行なうことはない。
【００７１】
これに対し、ケーキ移送用ロータ４０の公転速度とバスケット２０の回転速度との間に差を生じさせた状態で、ケーキ移送用ロータ４０をバスケットの回転方向と同方向に公転させた場合には、各ケーキ移送用ロータ４０がその公転速度とバスケットの回転速度との差に等しい速度でバスケットの周方向に転動（回転しながら移動）していき、各ケーキ移送用ロータは、転動の過程でフィルタに接触しながら回転中心軸線を中心とした回転運動（自転運動）を行うため、各ケーキ移送用ロータの螺旋状の刃部がフィルタ３０上に存在するケーキをバスケットの軸線方向に移動させる。
【００７２】
ケーキ移送用ロータ４０がフィルタ上のケーキを移動させる方向は、バスケットの回転方向と、ケーキ移送用ロータ４０の回転方向と、ケーキ移送用ロータに設けられている刃部の螺旋形状とにより決まる。従って、ケーキ移送用ロータ４０の刃部がケーキを移動させる方向をバスケットの底壁部側から開口部側に向かう方向とするように、バスケットの回転方向と、ケーキ移送用ロータ４０の回転方向と、ケーキ移送用ロータに設けられている刃部の螺旋形状とを設定しておくと、バスケット内でフィルタ上に形成されるケーキをケーキ移送用ロータによりバスケットの開口部に向けて移動させて、バスケットの開口部から外部に排出させることができる。
【００７３】
例えば、バスケットをその開口部側から見た状態を示している図４において、固液分離処理時にバスケット２０を脱液時の回転速度Ｖで反時計方向に回転させるものとし、ケーキ移送用ロータ４０の回転速度をバスケット２０の回転速度よりもΔＶだけ高くしておくものとする。このとき、ケーキ移送用ロータは、その回転中心軸線を中心にして図４において時計方向に自転しながら（右回転しながら）フィルタ３０上を回転速度ΔＶで図４において反時計方向に移動していく。
【００７４】
この状態でバスケット２０の底壁部２２側からバスケットの開口部側を見た場合（図４を紙面の裏側から見た場合）、バスケット２０は時計方向に回転し、ケーキ移送用ロータ４０は反時計方向に自転しながら（左回転しながら）フィルタ３０上を時計方向に移動していく。この場合、ケーキ移送用ロータ４０の刃部を雄ネジと見て当該雄ネジが右ねじ（雌ネジに螺合させて左回転させた際にバスケットの底壁部側に後退していくネジ）となるように、ケーキ移送用ロータの刃部の螺旋形状を設定しておくと、ケーキ移送用ロータ４０の刃部により、フィルタ３０上のケーキをバスケットの開口部側に移動させることができる。
【００７５】
また図４において、固液分離処理時にバスケット２０を脱液時の回転速度Ｖで反時計方向に回転させるものとし、ケーキ移送用ロータ４０の公転速度をバスケット２０の回転速度よりもΔＶだけ低くしておくものとする。この場合、ケーキ移送用ロータは、その回転中心軸線を中心にして図４において反時計方向に自転しながら（左回転しながら）フィルタ３０上を図４において時計方向に移動していく。
【００７６】
この状態でバスケット２０の底壁部２２側から開口部側を見た場合（図４を紙面の裏側から見た場合）、バスケット２０は時計方向に回転し、ケーキ移送用ロータ４０は時計方向に自転しながら（右回転しながら）フィルタ３０上を反時計方向に移動していく。この場合、ケーキ移送用ロータ４０の刃部を雄ネジと見て、当該雄ネジが左ねじ（右回転させた際にバスケットの底壁部側に後退していくネジ）となるようにケーキ移送用ロータの刃部の螺旋形状を設定しておくと、ケーキ移送用ロータ４０の刃部により、フィルタ３０上のケーキをバスケットの開口部側に移動させることができる。
【００７７】
また図４において、固液分離処理時にバスケット２０を時計方向に回転させるものとし、ケーキ移送用ロータ４０の公転速度をバスケット２０の回転速度ＶよりもΔＶだけ高くしておくものとする。この場合、ケーキ移送用ロータは、その回転中心軸線を中心にして図４において反時計方向に自転しながら（左回転しながら）フィルタ上を図４において時計方向に移動していく。
【００７８】
この状態でバスケット２０の底壁部２２側から開口部側を見た場合、バスケット２０は反時計方向に回転し、ケーキ移送用ロータ４０は時計方向に自転しながら（右回転しながら）フィルタ３０上を反時計方向に移動していく。この場合、ケーキ移送用ロータ４０の刃部を雄ネジと見て、当該雄ネジが左ねじ（雌ネジに螺合させて右回転させた際にバスケットの底壁部側に後退していくネジ）となるように、ケーキ移送用ロータの刃部の螺旋形状を設定しておくと、ケーキ移送用ロータ４０の刃部により、フィルタ３０上のケーキをバスケットの開口部側に移動させることができる。
【００７９】
また図４において、固液分離処理時にバスケット２０を時計方向に回転させるものとし、ケーキ移送用ロータ４０の公転速度をバスケット２０の回転速度ＶよりもΔＶだけ低くしておくものとする。このとき、ケーキ移送用ロータは、その回転中心軸線を中心にして図４において時計方向に自転しながら（右回転しながら）フィルタ上を図４において反時計方向に移動していく。
【００８０】
この状態でバスケット２０の底壁部２２側から開口部側を見た場合、バスケット２０は反時計方向に回転し、ケーキ移送用ロータ４０は反時計方向に自転しながら（左回転しながら）フィルタ３０上を時計方向に移動していく。この場合、ケーキ移送用ロータ４０の刃部を雄ネジと見て、当該雄ネジが右ねじ（雌ネジに螺合させて左回転させた際にバスケットの底壁部側に後退していくネジ）となるように、ケーキ移送用ロータの刃部の螺旋形状を設定しておくと、ケーキ移送用ロータ４０の刃部により、フィルタ３０上のケーキをバスケットの開口部側に移動させることができる。
【００８１】
ケーキ移送用ロータ４０の公転運動及び自転運動を妨げないようにするため、ケーキ移送用ロータ４０の一端とバスケットの底壁部２２との間にはある程度の隙間を形成しておく必要があるが、ケーキ移送用ロータ４０により移送されずにバスケットの底壁部２２に近接した領域でフィルタ３０上に残されるケーキの量をできるだけ少なくするため、ケーキ移送用ロータ４０の一端とバスケットの底壁部２２との間の隙間はできるだけ小さくしておくことが望ましい。
【００８２】
本実施形態では、バスケットの底壁部２２の内面に傾斜した領域２２ｂ（図１参照）を設けて、底壁部２２の外周寄りの部分をケーキ移送用ロータ４０の端部に近接させることにより、底壁部２２の近傍でフィルタ３０上に取り残されるケーキの量を少なくするようにしている。
【００８３】
本実施形態では、ケーキ移送用ロータ４０の軸線方向寸法をバスケット２０の周壁部２１の軸線方向寸法よりも大きくして、バスケットの周壁部の開口部（バスケットの開放端）側に位置するケーキ移送用ロータ４０の端部をバスケットの周壁部の開口部よりも外方に突出させた状態で配置している。このようにケーキ移送用ロータ４０を設けておくと、バスケットの開口部からのケーキの排出を容易に行なわせることができる。
【００８４】
本実施形態の遠心分離機を用いて原液の固液分離処理を行なわせる際には、バスケット駆動装置及びロータ駆動装置を同時に駆動して、図３及び図４において、バスケット２０を一方向に回転させると共に、ケーキ移送用ロータ４０をバスケットの回転方向と同方向に公転させる。バスケット２０の回転速度及びケーキ移送用ロータ４０の公転速度を同じ割合で（バスケットの回転速度とケーキ移送用ロータの回転速度との間に差を生じさせないようにして）上昇させる。バスケット２０の回転速度が原液の脱液を行うのに適した回転速度（例えば４０００ｒｐｍ〜５０００ｒｐｍ）に達し、ケーキ移送用ロータ４０の公転速度も同じ速度に達したところでバスケット２０の回転速度及びケーキ移送用ロータ４０の公転速度の上昇を停止させる。
【００８５】
次いでケーキ移送用ロータ４０の公転速度をバスケット２０の回転速度よりも僅かに上昇させるか、又はケーキ移送用ロータ４０の公転速度をバスケット２０の回転速度よりも僅かに低下させることにより、バスケット２０の回転速度とケーキ移送用ロータの公転速度との間に差を生じさせ、ケーキ移送用ロータ４０がフィルタ３０上をバスケットの回転方向の前方側又は後方側に転動していく状態にする。前述のように、固液分離処理時にケーキ移送用ロータ４０をバスケットの回転方向の前方側に転動させるか又は後方側に転動させるかは、ケーキ移動用ロータ４０の刃部の螺旋形状と、固液分離処理を行なう際のバスケットの回転方向とにより相違する。
【００８６】
バスケット２０を高速回転させ、ケーキ移送用ロータ４０の公転速度とバスケット２０の回転速度との間に差を持たせて、ケーキ移送用ロータ４０をフィルタ３０上でバスケットの回転方向の前方側又は後方側に転動させた状態で、給液通路２７を通してバスケット２０内の底壁部２２に近い領域でバスケットの周壁部２１側に原液を供給する。
【００８７】
バスケット内に供給された原液は、バスケットの回転により生じる遠心力によりフィルタ３０とバスケットの周壁部の透孔とを通して直ちに排液室９内に排出される。これにより、フィルタ３０上にケーキが生成される。このケーキは、フィルタ３０に接触しながらバスケットの周方向に転動しているケーキ移送用ロータ４０の螺旋状の刃部によりバスケットの周壁部２０の開口部（バスケットの開口部）側に押されるため、生成されたケーキはバスケットの軸線方向に沿って周壁部の開口部に向かって移送され、移送の途中でもケーキからの脱液が行われる。ケーキ移送用ロータにより移送されているケーキはロータの刃部により常に動かされているため、移送されているケーキからの脱液は容易に行われる。ケーキ移送用ロータにより移送されるケーキは、バスケットの開口部に達したところで該開口部からケーキ回収室１１内に排出される。
【００８８】
従ってケーキ移送用ロータの転動速度やバスケット内への原液の供給速度を調整しておくことにより、液分の透過を妨げる程の厚いケーキ層がフィルタ３０上に形成されるのを防ぎつつ、原液の脱液を図る脱液動作と、ケーキをバスケットの開口部から外部に排出させて回収する動作とを並行させて行わせることができ、原液の固液分離処理を連続的に行わせることができる。またケーキ移送用ロータによりケーキを移送する過程では、ケーキが常にロータの刃部により動かされているため、ケーキからの脱液を容易に行わせることができる。従ってケーキの移送途中でも脱液を行わせて、液分の残留量が少ないケーキを得ることができる。
【００８９】
また洗浄されたケーキを得る必要がある場合には、洗浄液供給通路６５内に洗浄液を供給して、ノズル６７，６８から、ケーキ移送用ロータ４０により移送されているケーキに洗浄液を吹きかけることにより、ケーキの洗浄を行うことができる。ケーキ移送用ロータ４０により移送されているケーキは常に動かされているため、移送中のケーキが洗浄液の脱液を妨げることはなく、ノズル６７，６８からケーキに供給された洗浄液は直ちに排液室９内に排出される。従って、洗浄されて脱水が図られたケーキをバスケットから回収することができる。
【００９０】
本発明に係る遠心分離機において、ケーキ移送用ロータが自転しながらバスケットの周壁部の周方向に沿って移動していく速度（転動速度）は、前述のように、バスケットの回転速度とケーキ移送用ロータの公転速度との差により決まる。バスケットの回転速度とケーキ移送用ロータの公転速度との差が大きければ大きい程ケーキ移送用ロータの転動速度が速くなる。ケーキ移送用ロータの転動速度が遅すぎると、フィルタの全周に形成されるケーキを満遍なく移送することが困難になるおそれがある。またケーキ移送用ロータの転動速度が速すぎると、ケーキ移送用ロータ及びフィルタに係る負担が大きくなるため好ましくない。バスケットの回転速度とケーキ移送用ロータの公転速度との差の値は、実験の結果に基づいて、ケーキ移送用ロータ及びフィルタに過大な負担をかけることなく、フィルタの内周に形成されるケーキを満遍なくバスケットの開口方向に移送するのに適した値に設定する。
【００９１】
またバスケット内に原液を供給する速度が速すぎると、十分に脱液が図られていないケーキがバスケットの開口部に達するおそれがあるため、原液の液分含有量に応じてバスケット内に原液を供給する速度を適宜に調整しておくことが好ましい。
【００９２】
図１ないし図４に示した実施形態においては、ロータ駆動軸４１をバスケット２０の開口部側から該バスケット内に挿入して、ロータ駆動軸４１を回転駆動するモータや減速機をバスケットの開口部の前方に配置しているが、図５及び図６に示されているように、ロータ駆動軸４１をバスケット駆動軸２６の軸心部を軸線方向に貫通させた状態で、かつバスケット駆動軸２６に対して相対的に回転し得る状態で設けて、該ロータ駆動軸をバスケットの底壁部２２を貫通させた状態でバスケット内に挿入するようにしてもよい。本実施形態においては、ロータ駆動軸４１がバスケット駆動軸２６を貫通してバスケット２０内に挿入され、バスケット２０内に挿入されたロータ駆動軸４１の先端が、フレーム５の第２の側板２に軸受装置４２を介して支持されている。ロータ駆動軸４１の軸心部に原液供給通路６５が形成され、バスケット駆動軸２６とロータ駆動軸４１との間の隙間により、バスケット２０内に原液を供給する原液供給通路２７が構成されている。
【００９３】
図示してないが、バスケット駆動軸２６の後端部は、軸受装置２５と中心軸線を共有するように設けられて適宜の手段により支持台１００上に支持された別の軸受装置により回転自在に支持されている。またロータ駆動軸４１の後端部は、バスケット駆動軸４１の後端部よりも更に後方（バスケットの底壁部から離れる側）に突出して伸びるように設けられて、バスケット駆動軸の後端部を支持する軸受け装置とは別の軸受装置により支持台１００に対して支持されている。
【００９４】
図１ないし図４に示された実施形態では、バスケット駆動軸２６内に原液を供給する給液通路２７を形成し、ロータ駆動軸４１内に洗浄液供給通路６５を形成したが、ロータ駆動軸４１内に給液通路と洗浄液供給通路とを同心的に設けるようにすることもできる。この場合、給液通路を洗浄液供給通路の内側に形成し、給液通路の先端をバスケットの底壁部２２寄りの位置でバスケット２０内に開口させる。
【００９５】
上記の実施形態では、バスケット２０が、軸線方向の全長に亘って均一な外径及び内径を有する周壁部２１を有するように形成されているが、バスケットの周壁部を径が異なる複数のセクションにより構成することもできる。
【００９６】
図１５を参照すると、バスケットの周壁部を径が異なる複数のセクションにより構成する実施形態の原理的な構成が示されている。本実施形態では、バスケット２０の周壁部が、バスケットの軸線方向に並べて配置されて隣り合う端部同士が連結された円筒状の第１ないし第３のセクション２１Ａないし２１Ｃからなっている。第１ないし第３のセクション２１Ａないし２１Ｃは、バスケットの底壁部２２から離れた位置に配置されたセクションほど大きい内径を有するように構成され、第３のセクション２１Ｃの開口部がバスケット２０の周壁部の開口部（バスケットの開口部）となっている。
【００９７】
バスケット２０の周壁部の第１ないし第３のセクション２１Ａ，２１Ｂ及び２１Ｃのそれぞれに対して、第１ないし第３のケーキ移送用ロータ４０Ａないし４０Ｃが設けられ、各セクションの内側に対応するケーキ移送用ロータが配置されている。ロータ駆動軸４１は、第１ないし第３のケーキ移送用ロータ４０Ａないし４０Ｃに対して共通に設けられている。図１５においては、バスケットの第１のセクション２１Ａないし第３のセクション２１Ｃ内にそれぞれ配置するケーキ移送用ロータ４０Ａないし４０Ｃをロータ駆動軸４１に支持するために用いる部材のうち、同等の機能を果たす部材には同じ符号を用いて、各符号に添え字ＡないしＣのいずれかを付すことにより、各部材が第１のセクション２１Ａないし第３のセクション２１Ｃのうちの何れのセクションに配置された部材であるかを区別している。
【００９８】
ロータ駆動軸４１は、バスケット２０の周壁部の開口部側からバスケット２０内に挿入され、このロータ駆動軸４１に第１ないし第３のケーキ移送用ロータ４０Ａないし４０Ｃが支持されている。第１ないし第３のケーキ移送用ロータ４０Ａないし４０Ｃは、図１ないし図４に示した実施形態と同様に一対ずつ設けられている。第１ないし第３のケーキ移送用ロータ４０Ａないし４０Ｃのそれぞれの支持構造は、図１ないし図４に示した実施形態で採用されたケーキ移送用ロータ４０の支持構造と同様である。ロータ支持部材４３Ａと４４Ａとの間は連結棒５１Ａ及び５２Ａにより連結され、ロータ支持部材４３Ｂ（図１５には現れていない。）と４４Ｂとの間は連結棒５１Ｂ及び５２Ｂにより連結されている。またロータ支持部材４３Ｃ（図１５には現れていない。）と４４Ｃとの間は連結棒５１Ｃ及び５２Ｃにより連結されている。一対ずつ設けられた第１のケーキ移送用ロータ４０Ａの一方は、ロータ駆動軸４１に固定されたロータ支持部材４３Ａの一端及びロータ支持部材４４Ａの一端にそれぞれ回動自在に支持されたスウィングアーム４５Ａ及び４７Ａの先端に回転自在に支持され、他方の第１のケーキ移送用ロータ４０Ａは、ロータ駆動軸４１に固定されたロータ支持部材４３Ａの他端及びロータ支持部材４４Ａの他端にそれぞれ回動自在に支持されたスウィングアーム４６Ａ及び４８Ａの先端に回転自在に支持されている。
【００９９】
また一対ずつ設けられた第２のケーキ移送用ロータ４０Ｂの一方は、ロータ駆動軸４１に固定されたロータ支持部材４３Ｂの一端及びロータ支持部材４４Ｂの一端にそれぞれ回動自在に支持されたスウィングアーム４５Ｂ及び４７Ｂの先端に回転自在に支持され、他方の第２のケーキ移送用ロータ４０Ｂは、ロータ駆動軸４１に固定されたロータ支持部材４３Ｂの他端及びロータ支持部材４４Ｂの他端にそれぞれ回動自在に支持されたスウィングアーム４６Ｂ及び４８Ｂの先端に回転自在に支持されている。なお図１５においては、第２のケーキ移送用ロータ４０Ｂの一端が第１のケーキ移送用ロータ４０Ａのかげに隠れているため、第２のケーキ移送用ロータ４０Ｂの一端側を支持しているロータ支持部材４３Ｂ，スウィングアーム４５Ｂ，４６Ｂ等は，図１５には現れていない。
【０１００】
更に、一対ずつ設けられた第３のケーキ移送用ロータ４０Ｃ，４０Ｃの一方は、ロータ駆動軸４１に固定されたロータ支持部材４３Ｃの一端及びロータ支持部材４４Ｃの一端にそれぞれ回動自在に支持されたスウィングアーム４５Ｃ及び４７Ｃ（ロータ支持部材４３Ｃ及びスウィングアーム４５Ｃ等は図１５には現れていない。）の先端に回転自在に支持され、他方の第２のケーキ移送用ロータ４０Ｃは、ロータ駆動軸４１に固定されたロータ支持部材４３Ｃの他端及びロータ支持部材４４Ｃの他端にそれぞれ回動自在に支持されたスウィングアーム４６Ｃ及び４８Ｃ（ロータ支持部材４３Ｃ及びスウィングアーム４６Ｃは図１５には現れていない。）の先端に回転自在に支持されている。
【０１０１】
図１５に示された実施形態においても、各ケーキ移送用ロータは、バスケットの周壁部の対応するセクションの軸線方向寸法よりも大きい軸線方向寸法を有し、各ケーキ移送用ロータの端部が周壁部の対応するセクションの開口部から前方に突出した状態で配置されている。第１ないし第３のケーキ移送用ロータ４０Ａないし４０Ｃのそれぞれの周壁部２１の対応するセクション２１Ａないし２１Ｃからはみ出した部分が干渉するのを防止するため、第１ないし第３のケーキ移送用ロータ４０Ａないし４０Ｃは、バスケットの周方向に位置をずらした状態で設けられている。
【０１０２】
またバスケットの周壁部の第１のセクション２１Ａの開口部から第２のセクション２１Ｂ内へのケーキの移送を容易にするため、第１のセクション２１Ａと第２のセクション２１Ｂとの境界部の内周にバスケットの開口部側に向かうに従って径が大きくなって行く傾斜面２１a1が形成されている。同様に、第２のセクション２１Ｂの開口部から第３のセクション２１Ｃ内へのケーキの移送を容易にするため、第２のセクション２１Ｂと第３のセクション２１Ｃとの境界部の内周にバスケットの開口部側に向かうに従って径が大きくなって行く傾斜面２１a2が形成されている。
【０１０３】
図１５は、本実施形態の構成を原理的に示したものであるため、バスケット２０の支持構造やロータ駆動軸４１の支持構造が簡略化されているが、本実施形態では、バスケット２０の軸線方向寸法が相当に長くなるため、本実施形態に係る遠心分離機を製作するに当たっては、従来の連続式遠心分離機で採用されているボウルの支持構造と同様に、バスケット２０の周壁部の軸線方向の両端の外周部やバスケットの周壁部の軸線方向の中間部をペアリングを介して適宜のフレームに支持するようにするのが好ましい。またロータ駆動軸４１は複数対の（本実施形態では３対の）ケーキ移送用ロータを保持する必要があり、ロータ駆動軸４１にかかる負荷が大きくなるため、バスケットの底壁部２２の内面側に軸受保持部を設けて、この軸受保持部に保持させた軸受によりロータ駆動軸の先端を回転自在に支持するようにするのが好ましい。
【０１０４】
図１５に示したように、バスケットの周壁部を複数のセクションにより構成すると、バスケットの軸線方向寸法を長くすることができるため、バスケットの底壁部寄りの位置でバスケット内に原液を供給してから、該原液の固液分離処理を完了させるまでの時間を十分に長くすることができ、原液の性状により、固液分離処理を完了させるために長い時間を要する場合にも対応することができる。
【０１０５】
また図１５に示したように、バスケットの周壁部を複数のセクションにより構成しておくと、各セクション内で異なる処理を行わせることができる。例えば、第１のセクション２１Ａで脱液を行わせ、第２のセクション２１Ｂでケーキの洗浄を行わせ、第３のセクション２１Ｃで洗浄液の脱液とケーキの乾燥とを行わせることができる。
【０１０６】
上記の実施形態では、ケーキ移送用ロータの刃部を、該ケーキ移送用ロータと中心軸線を共有する棒状部材の外周に形成されたネジのネジ山により構成したが、本発明はケーキ移送用ロータをこのように構成する場合に限定されない。
【０１０７】
例えば図８に示したように、リボン状の部材を、ロータの回転中心軸線の回りを螺線状に延びるように成形することにより製作したコイルによりケーキ移送用ロータの刃部４０ａを構成することができる。螺旋状に成形されたリボン状の部材により構成したリボンによりケーキ移送用ロータの刃部４０ａを構成する場合には、例えば、図８に示したように、一端及び他端に刃部固定部４０e1及び４０e2を有する軸部材４０eを、刃部４０ａの内側に挿入して、刃部４０ａの一端及び他端をそれぞれ刃部固定部４０e1及び４０e2に固定することにより、刃部４０ａを軸部材４０eと共に回転させるようにしておく。このように構成されたケーキ移送用ロータ４０は、例えば、軸部材４０eの両端をスウィングアーム４５、４７の先端に軸受を介して支持することにより、スウィングアーム４５、４７の先端に回転自在に支持することができる。
【０１０８】
原液の液分含有率が高いために、バスケット内に供給された原液がバスケットの開口部側に流動し易く、ケーキがバスケットの開口部に到達するまでの間に脱液を十分に行わせることができないおそれがある場合には、原液に含まれる液分を蒸発させて原液を濃縮する濃縮装置を原液供給源内に設けて、該濃縮装置により原液の液分含有率を低下させた後に該原液をバスケット内に供給するようにするのが好ましい。このように構成しておくと、バスケットの軸線方向寸法を特に長くしなくても、ケーキ移送用ロータによりケーキを移送する過程で、ケーキの脱液処理を十分に行わせることができる。
【０１０９】
上記の実施形態では、バスケット内に原液を供給する給液装置と、バスケット内に洗浄液を供給する洗浄液供給装置との双方を設けているが、ケーキの洗浄を必要としない場合には、洗浄液供給装置を省略することができる。
【０１１０】
図９ないし図１４に示した実施形態では、遠心分離機のフレーム５を支持する支持板１０４の下方に昇降装置１０２，１０３を設けて、バスケット２０の周壁部の中心軸線を含む垂直面内でバスケットの周壁部の中心軸線及びケーキ移送用ロータの回転中心軸線が水平方向に対してなす角度を調整し得るようにしている。このように構成しておくと、例えば、バスケットの開口部を底壁部よりも高い位置に配置するようにバスケット及びケーキ移送用ロータを傾斜させることにより、原液の液分含有率が高い場合に、十分に脱液が図られない状態にあるケーキがバスケットの開口部側に移送されて回収される状態が生じるのを防ぐことができる。
【０１１１】
本発明において、バスケット２０の周壁部の中心軸線を含む垂直面内でバスケットの周壁部の中心軸線及びケーキ移送用ロータの回転中心軸線が水平方向に対してなす角度を調整し得るようにすることは必須ではなく、図９ないし図１４に示した実施形態において、昇降装置１０３，１０４は省略することができる。
【０１１２】
上記の各実施形態では、バスケットの周壁部が円筒状に形成されているが、バスケットの周壁部の形状は円筒状に限定されるものではなく、例えば、底壁部側から開口部側に向かうに従って内径が徐々に小さくなるコーン状の周壁部を有するバスケットを用いることもできる。ケーキ移送用ロータによるケーキの移送を支障なく行わせるためには、ケーキ移送用ロータの螺旋状の刃部の各ターンのフィルタに対向する部分をバスケットの周壁部の内周に配置されたフィルタに接触させた状態に保つ必要があるため、コーン状の周壁部を有するバスケットを用いる場合には、ケーキ移送用ロータの縦断面の輪郭形状に、バスケットのコーン状の内周面にフィットするコーン状の形状を持たせておく必要がある。
【０１１３】
上記の実施形態ではバスケットの周壁部の内周に配置するフィルタとしてろ布を用いたが、金属板に微細な孔を無数に形成した多孔板や金網等からなるフィルタを用いることもできる。
【０１１４】
上記の実施形態では、バスケット内に洗浄液を供給する洗浄液供給装置を設けているが、ケーキの洗浄を必要としない場合には、洗浄液供給装置を省略することができる。
【０１１５】
上記の実施形態では、バスケット駆動軸及びロータ駆動軸に回転駆動源の回転を伝達するバスケット駆動用動力伝達機構及びロータ駆動用動力伝達機構としてベルト伝達機構を用いたが、これらの動力伝達機構としては、ベルトに代えてチェーンを用いる動力伝達機構を採用することもできる。またバスケット駆動軸及びロータ駆動軸の少なくとも一方を回転駆動源の出力軸に直結するように、バスケット駆動装置及びロータ駆動装置を構成することもできる。
【符号の説明】
【０１１６】
１      フレームの第１の側板
２      フレームの第２の側板
３      フレームの第３の側板
４      フレームの第４の側板
５      フレーム
６      仕切り板
７      天板
８      底板
９      排液室
１０    排液口
１１    ケーキ回収室
１２    ケーキ回収室の開口部
１４    仕切り板に設けられた貫通孔
２０    バスケット
２１    バスケットの周壁部
２１ａ  周壁部の軸線方向の一端
２１ｂ  周壁部の軸線方向の他端
２１Ａ  周壁部の第１のセクション
２１Ｂ  周壁部の第２のセクション
２１Ｃ  周壁部の第３のセクション
２２  バスケットの底壁部
２２ａ  底壁部の中央寄りの環状領域
２２ｂ  底壁部の周壁部寄りの環状領域
２３    外フランジ
２４    ボス部
２５    第１の軸受装置
２６    バスケット駆動軸
２７    給液通路
３０    フィルタ
３１    フィルタ固定部材
３２    フィルタ押え
３４    ホーン状の覆い
４０    ケーキ移送用ロータ
４０Ａ  第１のセクションに配置される第１のケーキ移送用ロータ
４０Ｂ  第２のセクションに配置される第２のケーキ移送用ロータ
４０Ｃ  第３のセクションに配置される第３のケーキ移送用ロータ
４０ａ  ケーキ移送用ロータの刃部
４０ｂ  円柱状の金属棒
４０ｃ  軸部
４０ｄ  軸部
４０ｅ  軸部材
４０e1  刃部固定部
４０e2  刃部固定部
４１    ロータ駆動軸
４２    第２の軸受装置
４３    ロータ支持部材
４３Ａ  第１のセクションに配置されるロータ支持部材
４３Ｂ  第２のセクションに配置されるロータ支持部材
４３Ｃ  第３のセクションに配置されるロータ支持部材
４４    ロータ支持部材
４４Ａ  第１のセクションに配置されるロータ支持部材
４４Ｂ  第２のセクションに配置されるロータ支持部材４５
４４Ｃ  第３のセクションに配置されるロータ支持部材
４５    スウィングアーム
４５Ａ  第１のセクションに配置されるスウィングアーム
４５Ｂ  第２のセクションに配置されるスウィングアーム
４５Ｃ  第３のセクションに配置されるスウィングアーム
４６    スウィングアーム
４６Ａ  第１のセクションに配置されるスウィングアーム
４６Ｂ  第２のセクションに配置されるスウィングアーム
４６Ｃ  第３のセクションに配置されるスウィングアーム
４７    スウィングアーム
４７Ａ  第１のセクションに配置されるスウィングアーム
４７Ｂ  第２のセクションに配置されるスウィングアーム
４７Ｃ  第３のセクションに配置されるスウィングアーム
４８    スウィングアーム
４８Ａ  第１のセクションに配置されるスウィングアーム
４８Ｂ  第２のセクションに配置されるスウィングアーム
４８Ｃ  第３のセクションに配置されるスウィングアーム
４９    アーム付勢手段
４９′  アーム付勢手段
５１    連結棒
５２    連結棒
５３    ネジ
５４    ネジ
５５    ネジ
５６    ネジ
５７    ネジ
５８    ネジ
５９    ネジ
６０    ネジ
６５    洗浄液供給通路
６７    ノズル
６８    ノズル
１００  支持台
１０１  ベース板
１０２  昇降装置
１０３  昇降装置
１０４  支持板
１１０  バスケット駆動用モータ
１１１  ロータ駆動用モータ
１１２  バスケット駆動用モータの出力軸
１１３  プーリ
１１４  プーリ
１１５  ベルト
１１６  ロータ駆動用モータの出力軸
１１７  プーリ
１１８  プーリ
１１９  ベルト
１２０  ロータリジョイント
１２１  ロータリジョイント
１３０  モータ
１３１  モータの出力軸
１３２  モータの出力軸
【図１】
0006962606.tif 000002
【図２】
0006962606.tif 000003
【図３】
0006962606.tif 000004
【図４】
0006962606.tif 000005
【図５】
0006962606.tif 000006
【図６】
0006962606.tif 000007
【図７】
0006962606.tif 000008
【図８】
0006962606.tif 000009
【図９】
0006962606.tif 000010
【図１０】
0006962606.tif 000011
【図１１】
0006962606.tif 000012
【図１２】
0006962606.tif 000013
【図１３】
0006962606.tif 000014
【図１４】
0006962606.tif 000015
【図１５】
0006962606.tif 000016